(57)【要約】【課題】防犯タグを設けた商品盗難防止装置を提供する。【解決手段】防犯タグ(52)を内装した盗難防止具(8)と解錠キー(9)とから構成されている。盗難防止具(8)は、商品包装体のシート状部(2)を着脱自在に挟持するケーシング(10)と開閉部材(11)を開閉ヒンジ(12)により開閉自在に連結し、該ケーシング(10)に施錠スライダー(13)を設けている。開閉部材(11)のロック用支柱(31)をシート状部(2)の被着孔(6)に挿通してケーシング(10)の内部に挿入し、施錠スライダー(13)を移動させると、ロック用支柱(31)をロックするロック機構(32)と、施錠スライダー(13)を施錠する施錠機構(28)が設けられている。解錠キー(9)をケーシング(10)に挿入すると施錠機構(28)が解錠され、施錠スライダー(13)を後退させるとロック機構(32)がアンロックされる。【選択図】図１
2010282452.tif 000002
【特許請求の範囲】
【請求項１】
商品包装体(1)のシート状部(2)に形成された被着孔(6)に取付けられる盗難防止具(8)と解錠キー(9)とから成る盗難防止装置であり、前記盗難防止具(8)は、前記被着孔(6)に臨んでシート状部(2)の表裏面を着脱自在に挟持するケーシング(10)と開閉部材(11)を開閉ヒンジ(12)により開閉自在に連結すると共に、前記ケーシング(10)に施錠スライダー(13)を設け、前記ケーシング(10)と前記開閉部材(11)の少なくとも一方に防犯タグ(52)を内装状態で取付けており、
前記開閉部材(11)は、前記被着孔(6)を挿通して前記ケーシング(10)の内部に挿脱自在に挿入されるロック用支柱(31)を備え、
前記施錠スライダー(13)は、アンロック位置(P1)とロック位置(P2)の間で進入方向(F)と後退方向(R)にスライド移動自在となるように前記ケーシング(10)に挿入され、
前記開閉部材(11)のロック用支柱(31)と前記施錠スライダー(13)の相互に、該ロック用支柱(31)をケーシング(10)の内部に挿入した状態で、施錠スライダー(13)を進入方向(F)にスライド移動することによりロック位置(P2)に移動したとき、ロック用支柱(31)をケーシング(10)から抜止め状態にロックし、施錠スライダー(13)を後退方向(R)にスライド移動することによりアンロック位置(P1)に移動したとき、ロック用支柱(31)をケーシング(10)から抜出し可能にアンロックするロック機構(32)を構成し、
前記ケーシング(10)と前記施錠スライダー(13)の相互に、施錠スライダー(13)を前記進入方向(F)にスライド移動することによりロック機構(32)をロックしたとき、該施錠スライダー(13)を後退方向(R)に移動不能となるように施錠する施錠機構(28)を構成し、
前記解錠キー(9)は、前記ケーシング(10)に挿入することにより前記施錠機構(28)の施錠を解錠する鍵部(61)を備えて成ることを特徴とする商品盗難防止装置。
【請求項２】
商品包装体(1)のシート状部(2)に形成された被着孔(6)に取付けられる盗難防止具(8)と解錠キー(9)とから成る盗難防止装置であり、前記盗難防止具(8)は、前記被着孔(6)の軸線方向(X)からシート状部(2)の表裏面を着脱自在に挟持するケーシング(10)と開閉部材(11)を開閉ヒンジ(12)により開閉自在に連結すると共に、前記ケーシング(10)に施錠スライダー(13)を設け、前記ケーシング(10)と前記開閉部材(11)の少なくとも一方に防犯タグ(51)を内装状態で取付けており、
前記開閉部材(11)は、前記被着孔(6)を挿通して前記ケーシング(10)の内部に挿脱自在に挿入されるロック用支柱(31)を備え、
前記ケーシング(10)は、前記被着孔(6)に臨む所定位置(P)に受入開口部(19)を設けると共に、前記軸線方向(X)と交差する交差軸方向(Y)に延びる案内通路(17)を形成し、
前記施錠スライダー(13)は、前記案内通路(17)に進入方向(F)と後退方向(R)にスライド移動自在に挿入され、
前記開閉部材(11)のロック用支柱(31)と前記施錠スライダー(13)の相互にロック機構(32)を構成しており、該ロック機構(32)は、施錠スライダー(13)に設けられた開放部(38)と、該開放部(38)の内側で前記進入方向(F)に向けて突設されたロック用ニードル(39)と、該ロック用ニードル(38)の先端を超えて前記開放部(38)を進入方向(F)に延長することにより形成された窓孔(40)と、前記ロック用支柱(31)に設けた前記交差軸方向(Y)のロック孔(33)とから構成され、
前記施錠スライダー(13)を後退方向(R)にスライド移動することによりアンロック位置(P1)に移動したとき、前記窓孔(40)が前記所定位置(P)に臨むことによりロック用支柱(31)を挿脱自在にアンロックし、前記施錠スライダー(13)を進入方向(F)にスライド移動することによりロック位置(P2)に移動したとき、前記ロック用ニードル(39)が前記所定位置(P)に臨んでロック孔(33)に係止することによりロック用支柱(31)を挿脱不能にロックするように構成され、
前記ケーシング(10)と前記施錠スライダー(13)の相互に、施錠スライダー(13)を前記ロック位置(P2)に移動したとき、該施錠スライダー(13)を移動不能に係止する施錠機構(28)を構成し、
前記解錠キー(9)は、前記ケーシング(10)に挿入することにより前記施錠機構(28)の施錠を解錠する鍵部(61)を備えて成ることを特徴とする商品盗難防止装置。
【請求項３】
前記施錠機構(28)は、ケーシング(10)から施錠スライダー(13)に向けて突設された施錠突起(29)と、施錠スライダー(13)の施錠面(35a)から前記施錠突起(29)に係止する係止位置に向けて弾発付勢状態で進退自在に進出する施錠舌片(41)とから構成され、該施錠舌片(41)に磁着手段(46)を設けており、
施錠スライダー(13)を進入方向(F)に向けて前記ロック位置(P2)に移動したとき、前記施錠舌片(41)が前記施錠突起(29)に係止し、該施錠スライダー(13)の前記施錠面(35a)とは反対側の解錠面から磁石(63)を臨ませたとき、前記施錠舌片(41)が弾発付勢力に抗して後退することにより前記施錠突起(29)から離脱するように構成されており、
前記ケーシング(10)の一端の挿入開口(37)から前記解錠面に沿って進入方向(F)に延びるキー挿入路(20)を形成すると共に、前記キー挿入路(20)に挿入される解錠キー(9)の挿入部(61)に磁石手段(63)を設けており、
前記キー挿入路(20)に前記解錠キー(9)の挿入部(61)を挿入した状態で、該解錠キー(9)を後退方向(R)に移動させたとき、施錠舌片(41)の磁着を介して施錠スライダー(13)が解錠キー(9)と同行してスライド移動するように構成して成ることを特徴とする請求項１又は２に記載の商品盗難防止装置。
【請求項４】
前記施錠スライダー(13)をロック位置(P2)からアンロック位置(P1)に移動した状態で、ケーシング(10)から前記施錠舌片(41)に向けて突出するストッパー突起(26)が設けられており、
前記ストッパー突起(26)は、解錠キー(9)の磁石手段(63)に磁着された後退姿勢の施錠舌片(41)に係止することにより、該係止位置から施錠スライダー(13)が後退方向(R)にスライド移動することを阻止するように構成して成ることを特徴とする請求項３に記載の商品盗難防止装置。
【請求項５】
商品包装体(1)は、保形シート(2)の正面側に商品(4)を包装し、前記保形シート(2)のヘッダー部(5)に設けた被着孔(6)に陳列ロッド(7)を挿通することにより吊下陳列されるように構成されており、
前記盗難防止具(8)は、ケーシング(10)と開閉部材(11)の一方に吊下手段(23b)を設けられ、該吊下手段(23b)を前記陳列ロッド(7)に吊下するように構成され、
前記吊下手段(23b)は、ケーシング(10)と開閉部材(11)により挟持されたヘッダー部(5)の上方位置(Q1)よりも正面側に間隔(S)をあけて離間した位置(Q2)に配置されて成ることを特徴とする請求項１、２、３又は４に記載の商品盗難防止装置。
【請求項６】
ヘッダー部(5)の正面側にケーシング(10)を配置し、該ヘッダー部(5)の背面側に開閉部材(11)を配置するように構成され、
前記ヘッダー部(5)の背面に対して離反方向に回動自在なヒンジ(53,54,58)を介して防犯タグ収納体(52)を前記開閉部材(11)に連結し、該防犯タグ収納体(52)に防犯タグ(51)を収納して成ることを特徴とする請求項５に記載の商品盗難防止装置。
【発明の詳細な説明】
【技術分野】
【０００１】
本発明は、店内に展示された商品が万引き等の不正者により窃盗され、店外に持ち出されることを未然に防止するための商品盗難防止装置に関する。
【背景技術】
【０００２】
従来、種々の小売店等においては、展示商品の盗難を防止するため、各商品に防犯タグを貼着している。そこで、防犯タグを貼着したまま商品を店外に持ち出そうとすると、出入口ゲートに設置された検知装置が警報を発し、盗難を防止する。
【０００３】
しかしながら、通常、防犯タグは、粘着剤により商品に貼着されており剥離可能であるから、店外に持ち出す前に商品から剥離して廃棄されてしまうと、盗難防止の効果がない。
【０００４】
このため、商品に防犯タグを取付けるための防犯タグ取付装置として、例えば防犯タグを収納した取付体を商品の表面に添設した状態で、商品の裏面から頭付きのピンを商品に刺突して貫通させ、該ピンの先端を取付体に抜止め状に挿入ロックする構成としたものが提案されている。
【０００５】
前記取付体は、ピンを受入れるキャビティの周囲に締着手段を配置し、キャビティに挿入されたピンの先端部を締着手段により掴むように構成されており、取付体の底部に磁石を臨ませると、前記締着手段が拡がることにより、キャビティからピンを抜取ることができるように構成されている。
【０００６】
このような防犯タグ取付装置は、正当な顧客が商品を購入するときは、レジカウンター等において、店員が磁石を備えたアンロック装置を取付体の底部に臨ませることによりピンを取付体から抜取り、防犯タグ取付装置を取り外した後、商品を顧客に引き渡される。
【先行技術文献】
【特許文献】
【０００７】
【特許文献１】特許第４２５２７１３号公報
【特許文献２】特開平２００４−４１６４２号公報
【特許文献３】特開平７−９３６７２号公報
【発明の概要】
【発明が解決しようとする課題】
【０００８】
しかしながら、上述の先行技術の場合、万引き等の不正者が磁石を持参して来店すると、磁石を取付体の底部に臨ませるだけで、簡単にピンが抜取られ、防犯タグ取付装置を商品から除去することが可能であるから、盗難防止の実効性が極めて低い。
【０００９】
また、レジカウンター等において、店員が防犯タグ取付装置を商品から取り外したとき、収納体とピンが分離した状態で散在するため、随時、整理した上で、収納体とピンのそれぞれを管理しなければならない不便がある。
【課題を解決するための手段】
【００１０】
本発明は、上記課題を解決した商品盗難防止装置を提供するものであり、その第１の手段として構成したところは、商品包装体のシート状部に形成された被着孔に取付けられる盗難防止具と解錠キーとから成る盗難防止装置であり、前記盗難防止具は、前記被着孔に臨んでシート状部の表裏面を着脱自在に挟持するケーシングと開閉部材を開閉ヒンジにより開閉自在に連結すると共に、前記ケーシングに施錠スライダーを設け、前記ケーシングと前記開閉部材の少なくとも一方に防犯タグを内装状態で取付けており、前記開閉部材は、前記被着孔を挿通して前記ケーシングの内部に挿脱自在に挿入されるロック用支柱を備え、前記施錠スライダーは、アンロック位置(P1)とロック位置(P2)の間で進入方向(F)と後退方向(R)にスライド移動自在となるように前記ケーシングに挿入され、前記開閉部材のロック用支柱と前記施錠スライダーの相互に、該ロック用支柱をケーシングの内部に挿入した状態で、施錠スライダーを進入方向(F)にスライド移動することによりロック位置(P2)に移動したとき、ロック用支柱をケーシングから抜止め状態にロックし、施錠スライダーを後退方向(R)にスライド移動することによりアンロック位置(P1)に移動したとき、ロック用支柱をケーシングから抜出し可能にアンロックするロック機構を構成し、前記ケーシングと前記施錠スライダーの相互に、施錠スライダーを前記進入方向(F)にスライド移動することによりロック機構をロックしたとき、該施錠スライダーを後退方向(R)に移動不能となるように施錠する施錠機構を構成し、前記解錠キーは、前記ケーシングに挿入することにより前記施錠機構の施錠を解錠する鍵部を備えて成る点にある。
【００１１】
また、本発明が第２の手段として構成したところは、商品包装体のシート状部に形成された被着孔に取付けられる盗難防止具と解錠キーとから成る盗難防止装置であり、前記盗難防止具は、前記被着孔の軸線方向(X)からシート状部の表裏面を着脱自在に挟持するケーシングと開閉部材を開閉ヒンジにより開閉自在に連結すると共に、前記ケーシングに施錠スライダーを設け、前記ケーシングと前記開閉部材の少なくとも一方に防犯タグを内装状態で取付けており、前記開閉部材は、前記被着孔を挿通して前記ケーシングの内部に挿脱自在に挿入されるロック用支柱を備え、前記ケーシングは、前記被着孔に臨む所定位置(P)に受入開口部を設けると共に、前記軸線方向(X)と交差する交差軸方向(Y)に延びる案内通路を形成し、前記施錠スライダーは、前記案内通路に進入方向(F)と後退方向(R)にスライド移動自在に挿入され、前記開閉部材のロック用支柱と前記施錠スライダーの相互にロック機構を構成しており、該ロック機構は、施錠スライダーに設けられた開放部と、該開放部の内側で前記進入方向(F)に向けて突設されたロック用ニードルと、該ロック用ニードルの先端を超えて前記開放部を進入方向(F)に延長することにより形成された窓孔と、前記ロック用支柱に設けた前記交差軸方向(Y)のロック孔とから構成され、前記施錠スライダーを後退方向(R)にスライド移動することによりアンロック位置(P1)に移動したとき、前記窓孔が前記所定位置(P)に臨むことによりロック用支柱を挿脱自在にアンロックし、前記施錠スライダーを進入方向(F)にスライド移動することによりロック位置(P2)に移動したとき、前記ロック用ニードルが前記所定位置(P)に臨んでロック孔に係止することによりロック用支柱を挿脱不能にロックするように構成され、前記ケーシングと前記施錠スライダーの相互に、施錠スライダーを前記ロック位置(P2)に移動したとき、該施錠スライダーを移動不能に係止する施錠機構を構成し、前記解錠キーは、前記ケーシングに挿入することにより前記施錠機構の施錠を解錠する鍵部を備えて成る点にある。
【００１２】
本発明の好ましい実施形態において、前記施錠機構は、ケーシングから施錠スライダーに向けて突設された施錠突起と、施錠スライダーの施錠面から前記施錠突起に係止する係止位置に向けて弾発付勢状態で進退自在に進出する施錠舌片とから構成され、該施錠舌片に磁着手段を設けており、施錠スライダーを進入方向(F)に向けて前記ロック位置(P2)に移動したとき、前記施錠舌片が前記施錠突起に係止し、該施錠スライダーの前記施錠面とは反対側の解錠面から磁石を臨ませたとき、前記施錠舌片が弾発付勢力に抗して後退することにより前記施錠突起から離脱するように構成されており、前記ケーシングの一端の挿入開口から前記解錠面に沿って進入方向(F)に延びるキー挿入路を形成すると共に、前記キー挿入路に挿入される解錠キーの挿入部に磁石手段を設けており、前記キー挿入路に前記解錠キーの挿入部を挿入した状態で、該解錠キーを後退方向(R)に移動させたとき、施錠舌片の磁着を介して施錠スライダーが解錠キーと同行してスライド移動するように構成されている。
【００１３】
更に、好ましい実施形態においては、前記施錠スライダーをロック位置(P2)からアンロック位置(P1)に移動した状態で、ケーシングから前記施錠舌片に向けて突出するストッパー突起が設けられており、前記ストッパー突起は、解錠キーの磁石手段に磁着された後退姿勢の施錠舌片に係止することにより、該係止位置から施錠スライダーが後退方向(R)にスライド移動することを阻止するように構成されている。
【００１４】
本発明の商品盗難防止装置は、保形シートの正面側に商品を包装し、前記保形シートのヘッダー部に設けた被着孔に陳列ロッドを挿通することにより吊下陳列されるように構成された商品包装体に取付けることができる。この場合、前記盗難防止具を構成するケーシングと開閉部材の少なくとも一方に吊下手段が設けられ、該吊下手段を前記陳列ロッドに吊下するように構成されており、前記吊下手段は、ケーシングと開閉部材により挟持されたヘッダー部の上方位置(Q1)よりも正面側に間隔(S)をあけて離間した位置(Q2)に配置される。
【００１５】
この際、ヘッダー部の正面側にケーシングを配置し、該ヘッダー部の背面側に開閉部材を配置するように構成され、前記ヘッダー部の背面に対して離反方向に回動自在なヒンジを介して防犯タグ収納体を前記開閉部材に連結し、該防犯タグ収納体に防犯タグを収納するのが好ましい。
【発明の効果】
【００１６】
本発明によれば、盗難防止具８のケーシング１０と開閉部材１１の少なくとも一方に防犯タグ５１を内装状態で取付けているので、該盗難防止具８を商品包装体１に装着することにより、万引き等の不正者による窃盗を防止することができる。
【００１７】
この際、開閉部材１１のロック用支柱３１を商品包装体１のシート状部５に設けた被着孔６に挿通させ、ケーシング１０と開閉部材１１によりシート状部５を挟持させた状態で、施錠スライダー１３を進入方向Ｆに向けてロック位置Ｐ２に移動するだけで、ロック機構３２によりロック用支柱３１を抜止め状態にロックすると共に、施錠機構２８により施錠スライダー１３を後退方向Ｒに移動不能とするように施錠する構成であるから、盗難防止具８をシート状部５から不正に取り外すことが至難とされ、盗難防止効果に実効性がある。
【００１８】
その反面、店員等の正当な権限を有する者が盗難防止具８をシート状部５から取り外すときは、解錠キー９をケーシング１０に挿入するだけで施錠機構２８の施錠を解錠することができるので、施錠スライダー１３をロック位置Ｐ２から後退方向Ｒに向けてアンロック位置Ｐ１に移動することにより、顧客を待たせることなく迅速に、盗難防止具８をシート状部５から取り外すことができる。しかも、取り外された盗難防止具８は、ケーシング１０と開閉部材１１が開閉ヒンジ１２により連結されており、相互に分離して散在することはないので、レジカウンター等における盗難防止具８の整理と保管の作業を容易とする。
【００１９】
そして、請求項３に記載の本発明のように、解錠キー９の挿入部６１をキー挿入路２０に挿入することにより施錠機構２８を解錠した後、該解錠キー９を後退方向Ｒに移動させたとき施錠スライダー１３が挿入部６１に同行して移動するように構成すれば、解錠キー９の挿入と引き抜きというワンタッチ動作で施錠機構２８の解錠とロック機構３２の解除を行うことが可能であり、盗難防止具８の取り外しのための時間が短縮され、迅速性を向上する。
【００２０】
この際、請求項４に記載の本発明によれば、施錠舌片４１により構成された施錠機構２８を解錠した状態で、施錠スライダー１３をアンロック位置Ｐ１まで移動したとき、前記施錠舌片４１がストッパー突起２６に係止することにより、施錠スライダー１３がケーシング１０から抜き取られてしまうことを阻止するので、レジカウンター等においてケーシング１０と施錠スライダー１３が相互に分離して散在することはなく、盗難防止具８の整理と保管の作業を容易とする。
【００２１】
また、請求項５に記載の本発明によれば、盗難防止具８を取付けることにより、陳列ロッド７に吊下した商品包装体１が鉛直姿勢に近い姿勢で吊下陳列され、陳列展示状態の体裁が良いという一石二鳥的効果がある。
【００２２】
更に、請求項４に記載の本発明によれば、開閉部材１１に取付けられる防犯タグ収納体５２に関して、小さい防犯タグ５１ａを収納した防犯タグ収納体５２ａと、大きい防犯タグ５１ｂを収納した防犯タグ収納体５２ｂが互換性を有するので、ユーザのニーズに応じて何れかの収納体を取付けた盗難防止具８を提供できるという利点がある。しかも、防犯タグ収納体５２は、商品包装体１のヘッダー部５の背面に対して離反方向に回動自在とされているので、大きい防犯タグ５１ｂを収納した防犯タグ収納体５２ｂがヘッダー部５の背面に表示された商品情報を隠蔽するような場合でも、該収納体５２ｂを捲り上げることにより、商品情報を読み取り可能とする効果がある。
【図面の簡単な説明】
【００２３】
【図１】本発明の１実施形態を商品のシート状部に取付ける前の状態を示す斜視図である。
【図２】本発明の１実施形態を商品のシート状部に取付けた状態を示す斜視図である。
【図３】ケーシングと施錠スライダーを分離した状態で正面側から示す斜視図である。
【図４】ケーシングと施錠スライダーを分離した状態で正面側から示しており、破断した部分を断面で示す斜視図である。
【図５】ケーシングと施錠スライダーを分離した状態で背面側から示す斜視図である。
【図６】ケーシングと施錠スライダーを分離した状態で背面側から示しており、破断した部分を断面で示す斜視図である。
【図７】開閉部材に連結される防犯タグ収納体の第１実施例を示しており、（Ａ）は開閉部材と防犯タグ収納体を分離した状態を示す斜視図、（Ｂ）は防犯タグ収納体を開閉部材に連結した状態を示す斜視図である。
【図８】開閉部材に連結される防犯タグ収納体の第２実施例を示しており、（Ａ）は開閉部材と防犯タグ収納体を分離した状態を示す斜視図、（Ｂ）は防犯タグ収納体を開閉部材に連結した状態を示す斜視図である。
【図９】ケーシングと開閉部材を開いた状態を示しており、（Ａ）は縦断側面図、（Ｂ）はＡ−Ａ線断面矢視図である。
【図１０】ケーシングと開閉部材を閉じることにより商品のシート状部を挟持し、ロック機構をロックさせると共に施錠機構を施錠させた状態を示しており、（Ａ）は縦断側面図、（Ｂ）はＢ−Ｂ線断面矢視図である。
【図１１】解錠キーによりロックと施錠を解除するときの作用を示しており、（Ａ）は解錠キーをキー挿入路に挿入した状態を示す横断面図、（Ｂ）は解錠キーをキー挿入路に沿って後退させた状態を示す横断面図である。
【図１２】商品包装体を陳列ロッドに吊下陳列する場合の吊下状態を示しており、（Ａ）は本発明の盗難防止具を商品包装体に取付けた状態で吊下陳列した場合を示す側面図、（Ｂ）は本発明の盗難防止具を取付けていない状態の商品包装体を吊下陳列した場合を示す側面図である。
【発明を実施するための形態】
【００２４】
以下図面に基づいて本発明の好ましい実施形態を詳述する。
【００２５】
図１及び図２に示すように、商品包装体１は、台紙等の保形シート２の正面側に収納室３を設けたブリスターパックが例示されており、前記収納室３に商品４を収納し、前記保形シート２のヘッダー部５に設けた被着孔６に陳列ロッド７（図１２参照）を挿通することにより吊下陳列されるように構成されている。尚、図示省略しているが、通常、前記保形シート２の背面側には、商品の機能や使用方法等の商品情報が印刷等により表示されている。
【００２６】
盗難防止装置は、盗難防止具８と解錠キー９とから成り、盗難防止具８は商品包装体１の被着孔６に取付けられ、解除キー９はレジカウンター等の店舗内で店員等の責任者の管理下に置かれる。
【００２７】
盗難防止具８は、前記被着孔６の軸線方向Ｘからヘッダー部５の表裏面を着脱自在に挟持するケーシング１０と開閉部材１１を開閉ヒンジ１２により開閉自在に連結している。図例の場合、開閉ヒンジ１１をヘッダー部５の上縁に臨ませ、ヘッダー部５の表面にケーシング１０を配置し、ヘッダー部５の裏面に開閉部材１１を配置するように構成されている。
【００２８】
前記ケーシング１０には施錠スライダー１３が挿入され、前記軸線方向Ｘと交差する交差軸方向Ｙにスライド移動自在とされ、進入方向Ｆと後退方向Ｒの両方向に進退移動自在とされている。
【００２９】
図３から図６に示すように、ケーシング１０と開閉部材１１は、開閉ヒンジ１２を含んで合成樹脂により一体成形されている。また、施錠スライダー１３は、ほぼ全体が合成樹脂により一体成形されている。
【００３０】
（ケーシング）
前記ケーシング１０は、正面壁１４の両側縁から一対の平行な壁部１５、１５を設けた断面溝形に形成され、前記壁部１５、１５の先端縁から内向きの断面Ｌ形となるレール部１６、１６を延設している。これにより、前記交差軸方向Ｙに延びる案内通路１７が前記レール部１６により形成される。また、前記正面壁１４の内側空間により施錠室１８が形成されると共に、前記レール部１６、１６の間隔空間により受入開口部１９が形成されており、該受入開口部１９は後述するキー挿入路２０を構成する。
【００３１】
前記ケーシング１０の前記進入方向Ｆに位置する端部には端壁２１が形成され、前記後退方向Ｒに位置する端部は開放されている。
【００３２】
図示実施形態において、前記ケーシング１０の正面壁１４には折曲ヒンジ２２を介して吊下板２３が延設され、該吊下板２３は、前記折曲ヒンジ２２を介して正面壁１４に向けて折曲したとき、該正面壁１４の外面に重ね合わせられる板状部２３ａと、該正面壁１４を超えて延びる吊下手段２３ｂを備えている。吊下手段２３ｂは、図例の場合、吊下窓を開設した環状形状のものを示しているが、鉤状のフック形状のものにより構成しても良い。
【００３３】
図６に示すように、吊下板２３は、正面壁１４に向けて折曲され重ね合わせられたとき外側に位置する外表面に凹部１０ａを設け、該凹部１０ａに表示シート１０ｂを貼着可能となるように構成されている。表示シート１０ｂには、商品に関する情報、その他の情報等が印刷表示される。
【００３４】
前記ケーシング１０の正面壁１４には一対の嵌着孔２４ａ、２４ｂが貫設され、これに対応して、前記吊下板２３の板状部２３ａに一対の嵌着突起２５ａ、２５ｂが突設されており、吊下板２３を正面壁１４に重ね合わせたとき、嵌着突起２５ａ、２５ｂが嵌着孔２４ａ、２４ｂに抜止め不能に嵌挿されるように構成されている。この際、前記後退方向Ｒに位置する嵌着突起２５ｂは、図４に示すように、正面壁１４の肉厚ｔを超える高さｈを有して延びるストッパー突起２６を構成する。尚、前記正面壁１４は、重ね合わせられた吊下板２３の側縁を保持するリブ２７ａ、２７ｂを備えている。
【００３５】
前記正面壁１４の内側から施錠室１８に向けて、施錠機構２８を構成する施錠突起２９が突設されており、該施錠突起２９は、前記進入方向Ｆの側面に係止面２９ａを形成し、前記後退方向Ｒの側面にガイド面２９ｂを形成している。
【００３６】
（開閉部材）
前記開閉部材１１は、開閉ヒンジ１２により前記ケーシング１０の受入開口部１９を開閉自在とする開閉板部３０を備え、該開閉板部３０から前記受入開口部１９を介して施錠室１８に向けて挿入されるロック用支柱３１を突設し、該ロック用支柱３１は、ロック機構３２を構成するロック孔３３を前記交差軸方向Ｙに設けている。
【００３７】
（施錠スライダー）
前記施錠スライダー１３は、前記ケーシング１０の壁部１５、１５に内嵌されると共に前記案内通路１７、１７にスライド自在に挿入されるスライド壁３４、３４と、前記レール部１６、１６の先端に臨んで前記スライド壁３４、３４を連結する板壁３５を、合成樹脂により一体成形した断面Ｈ形に形成され、前記後退方向Ｒに位置する端部に端壁３６を設けると共に、該端壁３６に前記キー挿入路２０に連通する挿入用開口３７を形成している。前記板壁３５は、施錠スライダー１３をケーシング１０に挿入したとき、施錠室１８に対面する施錠面３５ａを構成する。
【００３８】
前記板壁３５の前記進入方向Ｆに位置する部位には、開放部３８が切欠き形成されており、該開放部３８の内側にロック機構３２を構成するロック用ニードル３９を前記進入方向Ｆに向けて突設すると共に、該ロック用ニードル３９の先端を超えて前記開放部３８を前記進入方向Ｆに延長することにより窓孔４０を形成している。
【００３９】
前記板壁３５に形成された施錠面３５ａの前記後退方向Ｒに位置する部位には、施錠機構２８を構成する施錠舌片４１が設けられている。図示実施形態において、施錠舌片４１は、図４に示すように、基部４２から折曲され傾斜するアーム部４３と、該アーム部４３の先端に延設された係止部４４を備え、該係止部４４に係止孔４５を設けており、全体を鋼板で形成することにより、常時はアーム部４３を前記施錠室１８に向けて弾発付勢する反面、施錠面３５ａの反対側から磁石を臨ませたときに前記アーム部４３を弾力に抗して該磁石に磁着させる磁着手段４６を具備している。図例の場合、施錠舌片４１は、基部４２に形成した嵌合孔４７を板壁３５のボス４８に嵌着することにより固定され、前記アーム部４３を前記進入方向Ｆに向けて延出する。
【００４０】
施錠スライダー１３をケーシング１０に完全に挿入したとき、端壁３６が施錠室１８の前記後退方向Ｒの端部に位置する開口部を閉鎖するように構成され、該開口部に臨んで、正面壁１４と端壁３６の相互に噛合する凹凸部４９、５０が形成されている。
【００４１】
（防犯タグ収納体）
上記の構成において、防犯タグ５１は、ケーシング１０、開閉部材１１、施錠スライダー１３の何れかに対して、外部から剥離不能となるように貼着しても良いが、図示実施形態の場合、これらとは別体の防犯タグ収納体５２が設けられ、前記開閉部材１１の開閉ヒンジ１２に近傍する部位に設けた固定側ヒンジ５３に対して、防犯タグ収納体５２の回動側ヒンジ５４を連結することにより、該防犯タグ収納体５２が開閉板部３０に重ね合わせられた位置と、離反する位置との間で回動するように構成されている。
【００４２】
図７は、防犯タグ収納体５２の第１実施例を示しており、防犯タグ収納体５２ａは、回動側ヒンジ５４を設けた皿体５５と、該回動側ヒンジ５４の反対側で折曲ヒンジ５６を介して延設された蓋体５７を備えており、皿体５５又は蓋体５７の内面に防犯タグ５１を貼着した状態で、前記折曲ヒンジ５６を折曲することにより皿体５５と蓋体５７を相互に対向させ嵌着するように構成されている。この際、図示省略しているが、蓋体５７と皿体５５は、不正者がドライバー等の先端でこじ開けようとしても、簡単には開かないように無理嵌め等により固着されている。この第１実施例の場合、図示のように、比較的小さい細長い防犯タグ５１ａが収納される。
【００４３】
図８は、防犯タグ収納体５２の第２実施例を示しており、防犯タグ収納体５２ｂは、回動側ヒンジ５８を設けた皿体５９と、該皿体５９を施蓋する蓋体６０を備えており、皿体５９又は蓋体６０の内面に防犯タグ５１を貼着した状態で、皿体５９と蓋体６０を相互に対向させ嵌着するように構成されている。この場合も、不正者がドライバー等の先端でこじ開けようとしても、簡単には開かないように無理嵌め等により固着されている。この第２実施例の場合、図示のように、比較的大きな矩形状の防犯タグ５１ｂが収納される。
【００４４】
図７に示す第１実施例と図８に示す第２実施例の何れの場合も、防犯タグ５１の表面に商品に関するバーコードを印刷表示したものが使用されるときは、外部からバーコードを読み取り可能とするため、防犯タグ収納体５２が透明となるように形成される。
【００４５】
図１２に示すように、盗難防止具８を商品包装体１のヘッダー部５に装着したとき、前記第２実施例に関する防犯タグ収納体５２ｂの場合、ヘッダー部５に印刷された商品情報を隠蔽するおそれがあるが、図示鎖線で示すように、ヒンジ５３、５８を介して、該防犯タグ収納体５２ｂを捲り挙げるように回動することにより、商品情報を読み取り可能とする。そして、盗難防止具８の開閉部材１１に対して、第１実施例の防犯タグ収納体５２ａと第２実施例の防犯タグ収納体５２ｂが互換性を有するので、店舗のニーズに応じた防犯タグ収納体５２ａ又は５２ｂを取付けた盗難防止具８を提供することができる。
【００４６】
（盗難防止具の取付け）
図９に示すように、盗難防止具８は、吊下板２３を正面壁１４に重ね合わせて固着した状態で、ケーシング１０に対して開閉ヒンジ１２を介して開閉部材１１が開閉自在とされている。施錠スライダー１３は、案内通路１７を介してケーシング１０に進退スライド移動自在に挿入され、施錠舌片４１の係止孔４５をストッパー突起２６に係止したアンロック位置Ｐ１で停止し、施錠スライダー１３の端壁３６をケーシング１０の外部に位置させている。
【００４７】
アンロック位置Ｐ１で停止した施錠スライダー１３は、後退方向Ｒへの移動を阻止されているが、進入方向Ｆには移動可能である。図例の場合、施錠スライダー１３を進入方向Ｆに押し込むと、ストッパー突起２６の先端の球面部により施錠舌片４１が図示下向きに弾性変形し、これにより施錠スライダー１３を進入方向Ｆに移動させる。しかしながら、図例の構成に限らず、例えば、係止孔４５を長く形成したり、係止孔４５を鉤形に形成したりすることにより、ストッパー突起２６の先端に球面図を設けなくても、施錠スライダー１３を後退方向Ｒに移動阻止された状態から進入方向Ｆに移動可能となるように構成することができる。
【００４８】
この状態で、ケーシング１０と開閉部材１１は相互に開いているので、開閉部材１１のロック用支柱３１を商品包装体１の被着孔６に挿入する。前記施錠スライダー１３をアンロック位置Ｐ１に停止させた状態で、施錠スライダー１３の窓孔４０は、被着孔６及びロック用支柱３１が臨む所定位置Ｐに待機しており、そこで、開閉ヒンジ１２を閉じると、ロック用支柱３１が受入開口部１９を介して窓孔４０に挿入され、これにより商品包装体１のヘッダー部５がケーシング１０と開閉部材１１により挟持される。図示実施形態の場合、受入開口部１９がケーシング１０の全長にわたり設けられているが、受入開口部１９は、少なくとも前記所定位置Ｐにおいてロック用支柱３１を挿通可能となるように設ければ良い。
【００４９】
次いで、図１０に示すように、施錠スライダー１３を進入方向Ｆに向けてロック位置Ｐ２まで押し込むと、ロック用ニードル３９がロック用支柱３１のロック孔３３に挿入され、ロック用ニードル３９とロック孔３３により構成されたロック機構３２により、ロック用支柱３１を抜止め状態にロックする。
【００５０】
施錠スライダー１３を前記ロック位置Ｐ２に押し込んだとき、施錠舌片４１の係止部４４がガイド面２９ｂを介して施錠突起２９を乗り越え、該係止部４４を該施錠突起２９の係止面２９ａに係止し、該係止部４４と施錠突起２９により構成された施錠機構２８により、施錠スライダー１３を後退方向Ｒに移動不能となるように施錠する。
【００５１】
このようにして盗難防止具８を商品包装体１のヘッダー部５に取付けた後、商品包装体１は、盗難防止具８の吊下手段２３ｂを陳列ロッド７に吊下することにより、店舗内で吊下陳列され、販売に供される。
【００５２】
この際、盗難防止具８を取付けることにより、商品包装体１を鉛直姿勢に近い姿勢で吊下できる利点がある。図１２（Ｂ）に示すように、ブリスターパック形式の商品包装体１は、保形シート２の正面側に設けられた収納室３に商品４を収納しているため、ヘッダー部５を陳列ロッド７に吊下すると、商品４の重量により、符号Ｍ１で示すようなモーメントが生じることにより、全体が角度θで示すように傾斜してしまい体裁が良くない。これに対して、図１２（Ａ）に示すように、図示実施形態の盗難防止具８を取付けた商品包装体１の場合、吊下手段２３ｂがヘッダー部５の上方位置Ｑ１よりも正面側に間隔Ｓをあけて離間した位置Ｑ２に配置されるので、吊下手段２３ｂを陳列ロッド７に吊下すると、該盗難防止具８の重量により、符号Ｍ２で示すモーメントを生じさせ、これにより前述した商品の重量によるモーメントＭ１を打ち消し又は減殺するので、商品包装体１をほぼ鉛直姿勢に近い姿勢で吊下することができる。
【００５３】
上述のように盗難防止具８には防犯タグ５１を収納した防犯タグ収納体５２が設けられているので、万引き等の不正者が商品包装体１を店外に持ち出そうとすると、店舗の出入口ゲートに設置された検知装置が警報を発し、盗難を防止する。
【００５４】
悪質な不正者が磁石を持参し、盗難防止具８の回りに磁石を臨ませることにより取外しを試みたとしても、成功する可能性はない。上述のように防犯タグ収納体５２は透明に形成されているが、ケーシング１０と開閉部材１１を不透明に形成することにより、不正者が磁石を臨ませる個所を探し出すことは困難である。この際、偶然、磁石が開閉部材１１の外側から施錠舌片４１に臨ませられたとしても、該磁石と施錠舌片４１の間には、キー挿入路２０、ヘッダー部５、開閉部材１１、防犯タグ収納体５２が介在しているので、施錠舌片４１を施錠突起２９から離反可能とするまで強く磁着させることは困難である。
【００５５】
そして、最悪の自体として、不正者の磁石が極めて強力で、仮に万一、施錠舌片４１が磁着により施錠突起２９から外れたとしても、施錠スライダー１３をアンロック位置Ｐ１まで移動しない限り、ロック機構３２のロックは解除されないため、盗難防止具８をヘッダー部５から取り外すことはできない。この際、上述のように、施錠スライダー１３は、ケーシング１０に完全に挿入され、正面壁１４と端壁３６の凹凸部４９、５０を噛合させているので、不正者が針金等を差し込む余地はなく、施錠スライダー１３を後退方向Ｒに移動させることは不可能とされている。
【００５６】
（盗難防止具の取外し）
正当な顧客が商品を購入するときは、レジカウンター等において、店員が解錠キー９を使用することにより、迅速に盗難防止具８を取り外した後、商品４を包装した商品包装体１を顧客に引き渡される。
【００５７】
解錠キー９は、挿入開口３７からキー挿入路２０に挿入される挿入部６１と、該挿入部６１の尾端に設けた摘み部６２を備えており、挿入部６１は永久磁石等の磁石６３により構成されている。
【００５８】
そこで、図１１（Ａ）に示すように、解錠キー９の挿入部６１を進入方向Ｆに向けてキー挿入路２０に挿入すると、磁着手段４６が磁石６３に磁着されることにより、施錠舌片４１のアーム部４３が前記弾発付勢力に抗して弾性変形することにより、係止部４４を施錠突起２９から離脱させ、施錠機構２８の施錠を解錠する。
【００５９】
この状態から、解錠キー９を後退方向Ｒに移動すると、施錠舌片４１の磁着手段４６が磁石６３に磁着されているので、図１１（Ｂ）に示すように、施錠スライダー１３が解錠キー９と同行して後退方向Ｒに移動し、ロック用ニードル３９をロック用支柱３１のロック孔３２から離脱することにより、ロック機構３２のロックを解除する。これによりロック用支柱３１は、ケーシング１０から抜取り自在な状態とされるので、開閉部材１１をケーシング１０から離反する方向に開放し、開放された開閉部材１１のロック用支柱３１からヘッダー部５を取り外すことにより、商品包装体１が顧客に引き渡される。
【００６０】
解錠キー９の挿入部６１をキー挿入路２０に挿入した後、該解錠キー９に同行させることにより、図１１（Ａ）に示すロック位置Ｐ２から図１１（Ｂ）に示すアンロック位置Ｐ１まで施錠スライダー１３を後退方向Ｒに移動させたとき、磁石６３に磁着された状態でアーム部４３を変形した施錠舌片４１がストッパー突起２６に係止し、施錠スライダー１３が更に後退方向Ｒに移動することを阻止する。従って、施錠スライダー１３をアンロック位置Ｐ１に停止させた状態で、解錠キー９の挿入部６１がキー挿入路２０から抜き取られる。
【００６１】
従って、盗難防止具８は、開閉ヒンジ１２により連結されたケーシング１０と開閉部材１１が分離して散在することはなく、しかも、ケーシング１０から施錠スライダー１３が分離して散在することもなく、レジカウンター等に山積する盗難防止具８の整理と管理のために煩雑な作業を強いることはない。尚、解錠キー９は、必要個数だけをレジカウンター等に保管しておけば良い。
【符号の説明】
【００６２】
１  商品包装体
２  保形シート（シート状部）
５  ヘッダー部
６  被着孔
７  陳列ロッド
８  盗難防止具
９  解錠キー
１０  ケーシング
１１  開閉部材
１２  開閉ヒンジ
１３  施錠スライダー
１４  正面壁
１５、１５  壁部
１６、１６  レール部
１７  案内通路
１８  施錠室
１９  受入開口部
２０  キー挿入路
２１  端壁
２２  折曲ヒンジ
２３  吊下板
２３ａ  板状部
２３ｂ  吊下手段
２４ａ、２４ｂ  嵌着孔
２５ａ、２５ｂ  嵌着突起
２６  ストッパー突起
２７ａ、２７ｂ  リブ
２８  施錠機構
２９  施錠突起
２９ａ  係止面
２９ｂ  ガイド面
３０  開閉板部
３１  ロック用支柱
３２  ロック機構
３３  ロック孔
３４、３４  スライド壁
３５  板壁
３５ａ  施錠面
３６  端壁
３７  挿入用開口
３８  開放部
３９  ロック用ニードル
４０  窓孔
４１  施錠舌片
４２  基部
４３  アーム部
４５  係止孔
４６  磁着手段
４７  嵌合孔
４８  ボス
４９、５０  凹凸部
５１、５１ａ、５１ｂ  防犯タグ
５２、５２ａ、５２ｂ  防犯タグ収納体
５３  固定側ヒンジ
５４  回動側ヒンジ
５５  皿体
５７  蓋体
５８  回動側ヒンジ
５９  皿体
６０  蓋体
６１  挿入部
６２  摘み部
６３  磁石
【図１】
2010282452.tif 000003
【図２】
2010282452.tif 000004
【図３】
2010282452.tif 000005
【図４】
2010282452.tif 000006
【図５】
2010282452.tif 000007
【図６】
2010282452.tif 000008
【図７】
2010282452.tif 000009
【図８】
2010282452.tif 000010
【図９】
2010282452.tif 000011
【図１０】
2010282452.tif 000012
【図１１】
2010282452.tif 000013
【図１２】
2010282452.tif 000014